(57)【要約】 【課題】  カラオケの複数人での利用単位を特定するセッション内で録音された録音データ（必要により録画も含む）を各利用者（アカウント）毎ごとに管理できるようにしたカラオケシステムを提供することを目的とした。【解決手段】  カラオケ装置に演奏指示されたカラオケ楽曲の伴奏と利用者の歌唱からなる音声の録音手段または録画手段と、カラオケ演奏操作を監視制御し、セッション単位でリモコン端末装置の操作信号を受け付ける制御部を備えたカラオケシステムにおいて、  制御部は、録音手段または録画手段にて録音または録画された録音データまたは録画データを同一セッション内で維持するとともに、録音データまたは録画データをアカウント毎に出力指示を受け付けるようにした。【選択図】図１
2016095349.tif 000002
【特許請求の範囲】
【請求項１】
１台で複数アカウントを持つことのできるリモコン端末装置を使用し、カラオケ装置と、カラオケ装置を操作する任意数の１アカウント１台、あるいは複数アカウントで１台のリモコン端末装置とを接続し、利用単位を特定するセッションで対応付け、同一セッション内で複数人の利用者が１人１アカウントを持つことができるカラオケシステムであって、
前記カラオケ装置に演奏指示されたカラオケ楽曲の伴奏と利用者の歌唱からなる音声の録音手段と、カラオケ演奏操作を監視制御し、セッション単位で前記リモコン端末装置の操作信号を受け付ける制御部を備えたカラオケシステムにおいて、
前記制御部は、前記録音手段にて録音された録音データを同一セッション内で維持するとともに、当該録音データの出力指示を当該録音を行った利用者のアカウントからのみ受け付けることを特徴とするカラオケシステム。
【請求項２】
１台で複数アカウントを持つことのできるリモコン端末装置を使用し、カラオケ装置と、カラオケ装置を操作する任意数の１アカウント１台、あるいは複数アカウントで１台のリモコン端末装置とを接続し、利用単位を特定するセッションで対応付け、同一セッション内で複数人の利用者が１人１アカウントを持つことができるカラオケシステムであって、
前記カラオケ装置に演奏指示されたカラオケ楽曲の演奏時の映像の録画手段と、カラオケ演奏操作を監視制御し、セッション単位で前記リモコン端末装置の操作信号を受け付ける制御部を備えたカラオケシステムにおいて、
前記制御部は、前記録画手段にて録画された録画データを同一セッション内で維持するとともに、当該録画データの出力指示を当該録画を行った利用者のアカウントからのみ受け付けることを特徴とするカラオケシステム。
【請求項３】
前記制御部は、前記カラオケ利用者が個別にログオフした場合、当該利用者のアカウントに対応する録音データを消去することを特徴とする請求項１記載のカラオケシステム。
【請求項４】
前記制御部は、前記カラオケ利用者が個別にログオフする場合、当該利用者のアカウントからの指示により、当該利用者のアカウントに対応する録音データの出力指示を受け付けるように制御することを特徴とする請求項１乃至２記載のカラオケシステム。
【発明の詳細な説明】
【技術分野】
【０００１】
本発明は、所定のカラオケ楽曲の演奏とともに歌唱した利用者の音声を録音して、供給するカラオケシステムに関する。
【背景技術】
【０００２】
近年、カラオケの楽しみ方として、カラオケ楽曲の演奏とともに歌唱した利用者の音声を録音する楽しみ方が存在している。
このようなサービスを行うために録音装置と、この録音データを利用者に提供するための各種装置も知られている。
【０００３】
例えば特許文献１には、カラオケ歌唱者の参考になるようにプレイバック機能がついたカラオケ装置が提供されている。これは、カラオケ装置の採点機能を利用し、歌唱者の歌唱部分の採点結果が良かった部分、悪かった部分の録音データを再生してくれるというものである。
【０００４】
また特許文献２に示されるように、カラオケでの歌唱について録音した際にＣＤに出力できるようにしたカラオケ装置も知られている。また、録音後、その場で再生できるようにしたカラオケ装置も知られている。
【０００５】
カラオケ演奏を楽しむ場合、録音して楽しむことが確実に増加しており、録音モードで演奏する場合は、このようにカラオケ演奏中、一時停止ボタン、早送り、巻き戻しなど途中操作を禁止し、録音に集中したいものであるが緊張感が高まり、意に反してなかなか良い録音ができないことが多い。一方、録音モードを選択せず、通常モードでリラックスしてカラオケを楽しんだ場合、予想以上に上手く歌える時があり、その誰もが、「今のカラオケ演奏を録音しておけばよかった」と思うことを多くのカラオケ愛好者が経験している。本願出願人は、これらカラオケ装置において、録音モード、通常モードを切り分けて、操作性を重視したカラオケ装置を提供しながらも、録音を指定しない通常モードでも所定の条件で録音を可能としたカラオケシステムを試みている。
【先行技術文献】
【特許文献】
【０００６】
【特許文献１】特開平１１-１１９７８５号公報
【特許文献２】特許第３７０１２９０号公報
【発明の概要】
【発明が解決しようとする課題】
【０００７】
一方、録音機能の有無はともかくカラオケを楽しむシチュエーションとしては、一人で行く場合もあるが、仲間とカラオケを楽しむ場合が多い。このような状況の中で、カラオケの歌唱録音を楽しむ場合には、上述したように録音を意識せずまた、録音データを得た後も自然に楽しめることが望ましい。
【０００８】
カラオケ歌唱の録音データは、結果的に上手く歌唱できた場合に欲しいものである。録音についての評価は、カラオケを楽しんでいる最中その時ではなく、歌唱が終了した結果決まるものである。したがって常時録音しておくことが適切であるが、複数人でカラオケを利用している場合、歌唱者本人以外による消去又は、再生・保存などの出力指示は、好ましくないものである。
【０００９】
本発明は、カラオケを一人はもちろん複数人で楽しんだ際にも録音された録音データを、そのカラオケ装置を利用している間の中で随時、歌唱者本人のみが出力又は消去の管理ができるようにしたカラオケシステムを提供することを目的としたものである。
【課題を解決するための手段】
【００１０】
本発明は上記課題に鑑み、１台で複数アカウントを持つことのできるリモコン端末装置を使用し、カラオケ装置と、カラオケ装置を操作する任意数の１アカウント１台、あるいは複数アカウントで１台のリモコン端末装置とを接続し、利用単位を特定するセッションで対応付け、同一セッション内で複数人の利用者が１人１アカウントを持つことができるカラオケシステムであって、
カラオケ装置に演奏指示されたカラオケ楽曲の伴奏と利用者の歌唱からなる音声の録音手段と、カラオケ演奏操作を監視制御、及びセッション単位で前記リモコン端末装置の操作信号を受け付ける制御部を備えたカラオケシステムにおいて、
前記制御部は、前記録音手段にて録音された録音データを同一セッション内で維持するとともに、録音データの出力指示を当該録音を行った利用者のアカウントからのみ受け付けるようにしたものである。
【００１１】
また請求項２では、１台で複数アカウントを持つことのできるリモコン端末装置を使用し、カラオケ装置と、カラオケ装置を操作する任意数の１アカウント１台、あるいは複数アカウントで１台のリモコン端末装置とを接続し、利用単位を特定するセッションで対応付け、同一セッション内で複数人の利用者が１人１アカウントを持つことができるカラオケシステムであって、
前記カラオケ装置に演奏指示されたカラオケ楽曲の演奏時の映像の録画手段と、カラオケ演奏操作を監視制御し、セッション単位で前記リモコン端末装置の操作信号を受け付ける制御部を備えたカラオケシステムにおいて、
前記制御部は、前記録画手段にて録画された録画データを同一セッション内で維持するとともに、当該録画データの出力指示を当該録画を行った利用者のアカウントからのみ受け付けるようにしたものである。
【００１２】
請求項３では、前記カラオケ利用者が個別にログオフした場合、当該利用者のアカウントに対応する録音データを消去するように制御している。
【００１３】
さらに請求項４では、前記制御部が、前記カラオケ利用者が個別にログオフした場合、当該利用者のアカウントからの指示により、前記録音手段により録音された録音データの出力指示を受け付けるように制御している。
【発明の効果】
【００１４】
本発明は、録音／録画されたデータをセッション内で維持し、アカウント毎に出力指示を受付けることで、他人である第三者に出力指示を受付させないので不用意に再生や保存がされず、また消去もアカウント毎に行うので確実に録音データの管理ができるようになる。
【図面の簡単な説明】
【００１５】
【図１】本発明のカラオケシステムのリモコン操作イメージ図。
【図２】本発明における録音データの管理テーブル説明図。
【図３】本発明におけるリモコンの画面遷移説明図。
【図４】本発明におけるリモコンの画面遷移説明図。
【発明を実施するための形態】
【００１６】
本発明のカラオケシステムを図面に基づいて説明する。まず図１に示すように、本発明のカラオケシステムとしてのカラオケ装置１は、コンテンツサーバ２からカラオケ楽曲及びカラオケ背景映像など定期的にダウンロードされコンテンツが蓄積、又は都度コンテンツサーバ２からダウンロードされて、カラオケ演奏が楽しめるようになっている。本発明では、録音を指定しない通常モードでも所定の条件で録音を可能としたカラオケシステムでの実施例で実施されている。
【００１７】
本発明で利用されるカラオケ装置１の操作手段としては、個人利用の携帯電話などスマートフォンにアプリケーションソフトをインストールすることで、リモコン端末としての機能を実現できるようにしている。スマートフォン利用者であれば、１端末で１アカウントを想定しているが、運用上店側でもこのような貸し出し用のリモコン機能が内蔵されたタブレット端末を貸し出されるようにしている。特に店側で貸し出すタブレット端末は、１台で複数アカウントを持つことのできるリモコン端末として動作する操作手段７としてスマートホンアプリを使用し、カラオケ装置１と、カラオケ装置１を操作する任意数の１アカウント１台、あるいは複数アカウントで１台の操作手段７とを接続し、利用単位を特定するセッションで対応付け、同一セッション内で複数人の利用者が１人１アカウントを持つことができるようになっている。
【００１８】
制御部４は、カラオケ録音手段５にて録音された録音データを同一セッション内で録音データを維持するとともに、出力手段８にて録音データをアカウント毎に、再生あるいは、個人コンテンツ登録、投稿コンテンツ登録などコンテンツサーバ２にアップロード（保存）するなどの出力指示を受け付けるようにしたものである。また図２に示すようにカラオケ演奏で録音された録音データが、記憶部６にアカウントNo.と録音データが紐付けられて記憶されており管理されている。そして、また同一セッション内で、カラオケ利用者が個別にログオフする場合、そのアカウント毎に対応する録音データを消去するようにできる。
【００１９】
またさらに、カラオケ録音手段５にて録音された録音データを、カラオケ利用者が個別にログオフする場合もアカウント毎に出力指示を受け付けできるように制御される。本実施例では、図２に示されるようにリモコン端末による各ユーザであるアカウント毎に録音データを表示すると自分が操作するアカウントに対応する録音データしか表示されないので他のユーザ（アカウント）の録音データの出力指示はできないようになっている。
【００２０】
リモコンのトップ画面は、図３の左上に示され、例えば、アカウントＮｏ．０００３のユーザが、楽曲を何曲か歌唱した後に「勝手にしやがって」という楽曲を歌唱した場合、トップ画面の中央下部にあるマイコンテンツボタンをタッチすると、図３の右上に画面が遷移する。そこで、上部の「録音・録画ファイル」をタッチすると、画面が図３左下部に遷移して。既に歌唱した楽曲「勝手にしやがって」をはじめ既に歌唱していた「おやじさん」、「お祭り」などが録音データとして記憶されていることが分かる。
【００２１】
ここで、楽曲「勝手にしやがって」をタッチすると、画面がさらに右下に遷移され、予約転送で予約して再生するか、個人コンテンツ登録するか投稿コンテンツ登録するかなど選択してコンテンツサーバにアップロードすることもできるようになっている。尚、前述したように録音ファイルは、利用者のアカウントの録音データしか表示されないので、他のアカウントの録音データは、消去、出力などの操作はできないようになっている。
【００２２】
また、アカウント毎に退室を行う場合、図４に示される左側の中央上部に位置するペアリングボタンをタッチすると、図４の中央上部のファイル操作画面に遷移して、右上の「解除」ボタンをタッチすると、すでに歌唱した当該アカウントの録音データは、出力済のものと、未出力のものは（「未」表示）とともに保存を指示する「保存」ボタンが表示されて、録音データリストが表示されている。未出力の録音データは、その「保存」ボタンをタッチすれば、各録音データ毎に保存などの出力指示操作を行える。未保存の録音データをすべて保存とする場合には、「未保存録音データ全保存」ボタンをタッチすればよい。またそのセッションにおける録音データをすべて消去する場合には、中央下部の「未保存録音データ全消去」ボタンにタッチすると、図４の下部左側画面に遷移してリモコンのトップ画面に遷移する。その際、上部の「ペアリング」ボタン右上にＯＦＦマークが表示されるので、ペアリングが解除されたことが分かるようになっている。
【００２３】
図４では、出力指示において、再生も含むものであるが、その際は、図３に示されるように「録音・録画ファイル」をタッチして、一次録音された録音データから楽曲を指定して再生（予約転送）を行えばよい。また、出力指示における保存は、個人コンテンツ登録、投稿コンテンツ登録などコンテンツサーバ２にアップロード（保存）するなどの出力指示を受け付けるようにしたものであるが、保存を選択した場合は、「個人コンテンツ登録」、「投稿コンテンツ登録」などの選択ができるようになっている（図は省略）。
【００２４】
尚、請求項２における実施例では、請求項１における録音手段に代えて録画手段としての実施例になっており、歌唱者を撮影するカメラ手段なども有している（図示せず）。そして制御部は、前記録画手段にて録画された録画データを同一セッション内で維持するとともに、当該録画データの出力指示を当該録画を行った利用者のアカウントからのみ受け付けるようにしている。
録画手段では、音声のない映像のみの録画でも良いが、録画及び録音データを含む録画であっても良いことは言うまでもない。
【００２５】
本発明では、特に録音手段または録画手段にて録音・録画された録音・録画データを、利用単位を特定するセッション中、アカウント毎に録音・録画データの出力を可能とし、セッション終了後録音・録画データを消去するよう制御されるようになっている。またカラオケルームなど利用予約時間終了前に録音・録画データの出力指示を促すようにしても良い。
【００２６】
利用者全体がセッションを終了する操作を行う場合、例えばカラオケ装置１に設けられたリセットボタンを押すと、カラオケ装置１の制御部は、利用者にセッション中、録音・録画データが維持されている出力指示（再生、あるいはコンテンツサーバ２にアップロードする）など受け付けるようにしても良いものである。
【００２７】
本発明では、セッション中に歌唱され録音（あるいは録画も含む）された録音・録画データをそのセッション中の出力指示を自由に行えるようにした。但しそれは、カラオケ歌唱者が自らの録音データの出力指示、消去の操作を行えるようにしなければ混乱を招くことになる。したがって、セッション中はもちろんであるが、利用者の1人が先に退席する場合などペアリング解除し、ログオフする場合、当該利用者の録音・録画データは個々に削除したり、出力指示をその利用者のアカウント毎に行うようにした。
【符号の説明】
【００２８】
１・・・カラオケ装置
２・・・コンテンツサーバ
３・・・カラオケ演奏手段
４・・・制御部
５・・・カラオケ録音手段
６・・・記憶部
７・・・操作手段（リモコン）
８・・・出力手段
【図１】
2016095349.tif 000003
【図２】
2016095349.tif 000004
【図３】
2016095349.tif 000005
【図４】
2016095349.tif 000006